(57)【特許請求の範囲】
【請求項１】
より望ましいパブリックランドモバイルネットワーク（ＢＰＬＭＮ）サーチをユーザ装置（ＵＥ）により行うための方法であって、
前記ＵＥによりＢＰＬＭＮサーチを開始するためのトリガを検出することと、
前記ＵＥが第３世代パートナシッププロジェクト（３ＧＰＰ）ロングタームエボリューション（ＬＴＥ）ＰＬＭＮとの接続モード不連続受信（ＣＤＲＸ）であるかアイドルモード不連続受信（ＤＲＸ）であるかどうかを判定することと、ここで、前記ＣＤＲＸは、前記ＵＥがフィジカルダウンリンク制御チャネル（ＰＤＣＣＨ）を介した基地局からの送信を受信するように設定されている間に接続モードに対応する、
前記ＵＥがマニュアルＢＰＬＭＮサーチ用に設定されていると判定することと、
前記ＵＥが前記３ＧＰＰＬＴＥ  ＰＬＭＮとの前記アイドルモードＤＲＸであると判定したとき、前記ＵＥにより前記マニュアルＢＰＬＭＮサーチを行うことと、
前記ＵＥが前記３ＧＰＰＬＴＥ  ＰＬＭＮとの前記ＣＤＲＸであると判定したときに、
ＣＤＲＸの期間が、前記マニュアルＢＰＬＭＮサーチを行うのに必要な最小限の時間よりも長いかまたは等しいかどうかを判定することと、
前記ＣＤＲＸの期間が、前記ＢＰＬＭＮサーチを行うのに必要な最小限の時間よりも長いかまたは等しいと判定したとき、前記３ＧＰＰＬＴＥ  ＰＬＭＮとの前記ＣＤＲＸの間に、前記ＵＥにより前記マニュアルＢＰＬＭＮサーチを行うことと、
前記ＣＤＲＸの期間が、前記ＢＰＬＭＮサーチを行うのに必要な前記最小限の時間よりも短いと判定したとき、次のアイドルモードＤＲＸサイクルまで前記ＢＰＬＭＮサーチを一時停止することと
を備える方法。
【請求項２】
前記ＵＥが前記ＣＤＲＸであると判定したとき、前記ＵＥが前記マニュアルＢＰＬＭＮサーチ用に設定されているかオートマチックＢＰＬＭＮサーチ用に設定されているかを判定する、請求項１に記載の方法。
【請求項３】
前記ＵＥが前記ＣＤＲＸであり、前記オートマチックＢＰＬＭＮサーチ用に設定されていると判定したとき、前記次のアイドルモードＤＲＸサイクルまで前記ＢＰＬＭＮサーチを一時停止する、請求項２に記載の方法。
【請求項４】
前記ＣＤＲＸの期間が、前記ＢＰＬＭＮサーチを行うのに必要な前記最小限の時間よりも長いかまたは等しいかどうかを判定することは、前記ＣＤＲＸの期間が６４０ミリ秒よりも長いかまたは等しいかどうかを判定することを備える、請求項１に記載の方法。
【請求項５】
より望ましいパブリックランドモバイルネットワーク（ＢＰＬＭＮ）サーチをユーザ装置（ＵＥ）により行うための装置であって、
前記ＵＥによりＢＰＬＭＮサーチを開始するためのトリガを検出するよう設定されたＢＰＬＭＮサーチトリガ検出器と、
前記ＵＥが第３世代パートナシッププロジェクト（３ＧＰＰ）ロングタームエボリューション（ＬＴＥ）ＰＬＭＮとの接続モード不連続受信（ＣＤＲＸ）であるか、アイドルモード不連続受信（ＤＲＸ）であるかどうかを判定するように設定されたＤＲＸモード判定器と、ここで、前記ＣＤＲＸは、前記ＵＥがフィジカルダウンリンク制御チャネル（ＰＤＣＣＨ）を介した基地局からの送信を受信するように設定されている間に接続モードに対応する、
前記ＵＥがマニュアルＢＰＬＭＮサーチ用に設定されていると判定するよう設定されたサーチモード判定器と、
前記ＵＥが前記３ＧＰＰＬＴＥ  ＰＬＭＮとの前記アイドルモードＤＲＸであると前記ＤＲＸモード判定器が判定したとき、前記ＵＥにより前記マニュアルＢＰＬＭＮサーチを行うように設定されたＢＰＬＭＮサーチャと、
前記ＵＥが前記３ＧＰＰＬＴＥ  ＰＬＭＮとの前記ＣＤＲＸであると前記ＤＲＸモード判定器が判定したとき、ＣＤＲＸの期間が、前記マニュアルＢＰＬＭＮサーチを行うのに必要な最小限の時間よりも長いかまたは等しいかどうかを判定するよう設定されたＣＤＲＸモード期間およびサーチ期間比較器と
を備え、前記ＢＰＬＭＮサーチャは、
前記ＣＤＲＸモード期間およびサーチ期間比較器が、前記ＣＤＲＸの期間が、前記ＢＰＬＭＮサーチを行うのに必要な前記最小限の時間よりも長いかまたは等しいと判定したとき、前記３ＧＰＰＬＴＥ  ＰＬＭＮとの前記ＣＤＲＸの間に、前記ＵＥにより前記マニュアルＢＰＬＭＮサーチを行い、
前記ＣＤＲＸモード期間およびサーチ期間比較器が、前記ＣＤＲＸの期間が、前記ＢＰＬＭＮサーチを行うのに必要な前記最小限の時間よりも短いと判定したとき、次のアイドルモードＤＲＸサイクルまで前記ＢＰＬＭＮサーチを一時停止する
ようさらに設定された、装置。
【請求項６】
前記ＤＲＸモード判定器が、前記ＵＥが前記ＣＤＲＸであると判定したとき、前記サーチモード判定器は、前記ＵＥが前記マニュアルＢＰＬＭＮサーチ用に設定されているかオートマチックＢＰＬＭＮサーチ用に設定されているかを判定するようさらに設定されている、請求項５に記載の装置。
【請求項７】
前記ＤＲＸモード判定器が、前記ＵＥが前記ＣＤＲＸであると判定し、前記サーチモード判定器が、前記ＵＥが前記オートマチックＢＰＬＭＮサーチ用に設定されていると判定したとき、前記ＢＰＬＭＮサーチャは、前記次のアイドルモードＤＲＸサイクルまで前記ＢＰＬＭＮサーチを一時停止するよう設定されている、請求項６に記載の装置。
【請求項８】
前記ＣＤＲＸモード期間およびサーチ期間比較器は、前記ＣＤＲＸが６４０ミリ秒よりも長いかまたは等しいかどうかを少なくとも部分的に判定することによって、前記ＣＤＲＸの期間が、前記ＢＰＬＭＮサーチを行うのに必要な前記最小限の時間よりも長いかまたは等しいと判定する、請求項５に記載の装置。
【請求項９】
より望ましいパブリックランドモバイルネットワーク（ＢＰＬＭＮ）サーチをユーザ装置（ＵＥ）により行うための装置であって、
前記ＵＥによりＢＰＬＭＮサーチを開始するためのトリガを検出するための手段と、
前記ＵＥが第３世代パートナシッププロジェクト（３ＧＰＰ）ロングタームエボリューション（ＬＴＥ）ＰＬＭＮとの接続モード不連続受信（ＣＤＲＸ）であるかアイドルモード不連続受信（ＤＲＸ）であるかどうかを判定するための手段と、ここで、前記ＣＤＲＸは、前記ＵＥがフィジカルダウンリンク制御チャネル（ＰＤＣＣＨ）を介した基地局からの送信を受信するように設定されている間に接続モードに対応する、
前記ＵＥがマニュアルＢＰＬＭＮサーチ用に設定されているかどうかを判定するための手段と、
前記ＵＥが前記３ＧＰＰＬＴＥ  ＰＬＭＮとの前記ＣＤＲＸであるか前記アイドルモードＤＲＸであるかどうかを判定するための前記手段が、前記ＵＥが前記３ＧＰＰＬＴＥ  ＰＬＭＮとの前記アイドルモードＤＲＸであると判定したとき、前記ＵＥにより前記マニュアルＢＰＬＭＮサーチを行うための手段と、
前記ＵＥが前記３ＧＰＰＬＴＥ  ＰＬＭＮとの前記ＣＤＲＸであるか前記アイドルモードＤＲＸであるかどうかを判定するための前記手段が、前記ＵＥが前記３ＧＰＰＬＴＥ  ＰＬＭＮとの前記ＣＤＲＸであると判定したとき、ＣＤＲＸの期間が、前記マニュアルＢＰＬＭＮサーチを行うのに必要な最小限の時間よりも長いかまたは等しいかどうかを判定するための手段と、
前記ＣＤＲＸの期間が前記最小限の時間よりも長いかまたは等しいかどうかを判定するための前記手段が、前記ＣＤＲＸの期間が、前記ＢＰＬＭＮサーチを行うのに必要な前記最小限の時間よりも長いかまたは等しいと判定したとき、前記３ＧＰＰＬＴＥ  ＰＬＭＮとの前記ＣＤＲＸの間に、前記ＵＥにより前記マニュアルＢＰＬＭＮサーチを行うための手段と、
前記ＣＤＲＸの期間が前記最小限の時間よりも長いかまたは等しいかどうかを判定するための前記手段が、前記ＣＤＲＸの期間が、前記ＢＰＬＭＮサーチを行うのに必要な前記最小限の時間よりも短いと判定したとき、次のアイドルモードＤＲＸサイクルまで前記ＢＰＬＭＮサーチを一時停止するための手段と
を備える装置。
【請求項１０】
前記ＵＥが前記３ＧＰＰＬＴＥ  ＰＬＭＮとの前記ＣＤＲＸであるか前記アイドルモードＤＲＸであるかどうかを判定するための前記手段が、前記ＵＥが前記ＣＤＲＸであると判定したとき、前記ＵＥが前記マニュアルＢＰＬＭＮサーチ用に設定されているかオートマチックＢＰＬＭＮサーチ用に設定されているかを判定するための手段をさらに備える、請求項９に記載の装置。
【請求項１１】
前記ＵＥが前記３ＧＰＰＬＴＥ  ＰＬＭＮとの前記ＣＤＲＸであるか前記アイドルモードＤＲＸであるかどうかを判定するための前記手段が、前記ＵＥが前記ＣＤＲＸであると判定し、前記ＵＥが前記マニュアルＢＰＬＭＮサーチ用に設定されているか前記オートマチックＢＰＬＭＮサーチ用に設定されているかどうかを判定するための前記手段が、前記ＵＥが前記オートマチックＢＰＬＭＮサーチ用に設定されていると判定したとき、前記次のアイドルモードＤＲＸサイクルまで前記ＢＰＬＭＮサーチを一時停止するための手段をさらに備える、請求項１０に記載の装置。
【請求項１２】
前記ＣＤＲＸの期間が、前記最小限の時間よりも長いかまたは等しいかどうかを判定するための手段は、前記ＣＤＲＸが６４０ミリ秒よりも長いかまたは等しいかどうかを判定する、請求項９に記載の装置。
【請求項１３】
より望ましいパブリックランドモバイルネットワーク（ＢＰＬＭＮ）サーチをユーザ装置（ＵＥ）により行うための非一時的なコンピュータ可読記憶媒体であって、
前記ＵＥによりＢＰＬＭＮサーチを開始するためのトリガを検出するためのコードと、
前記ＵＥが第３世代パートナシッププロジェクト（３ＧＰＰ）ロングタームエボリューション（ＬＴＥ）ＰＬＭＮとの接続モード不連続受信（ＣＤＲＸ）であるかアイドルモード不連続受信（ＤＲＸ）であるかどうかを判定するためのコードと、ここで、前記ＣＤＲＸは、前記ＵＥがフィジカルダウンリンク制御チャネル（ＰＤＣＣＨ）を介した基地局からの送信を受信するように設定されている間に接続モードに対応する、
前記ＵＥがマニュアルＢＰＬＭＮサーチ用に設定されているかどうかを判定するためのコードと、
前記ＵＥが前記３ＧＰＰＬＴＥ  ＰＬＭＮとの前記ＣＤＲＸであるか前記アイドルモードＤＲＸであるかどうかを判定するための前記コードが、前記ＵＥが前記３ＧＰＰＬＴＥ  ＰＬＭＮとの前記アイドルモードＤＲＸであると判定したとき、前記ＵＥにより前記マニュアルＢＰＬＭＮサーチを行うためのコードと、
前記ＵＥが前記３ＧＰＰＬＴＥ  ＰＬＭＮとの前記ＣＤＲＸであるか前記アイドルモードＤＲＸであるかどうかを判定するための前記コードが、前記ＵＥが前記３ＧＰＰＬＴＥ  ＰＬＭＮとの前記ＣＤＲＸであると判定したとき、ＣＤＲＸの期間が、前記マニュアルＢＰＬＭＮサーチを行うのに必要な最小限の時間よりも長いかまたは等しいかどうかを判定するためのコードと、
前記ＣＤＲＸの期間が前記最小限の時間よりも長いかまたは等しいかどうかを判定するための前記コードが、前記ＣＤＲＸの期間が、前記ＢＰＬＭＮサーチを行うのに必要な前記最小限の時間よりも長いかまたは等しいと判定したとき、前記３ＧＰＰＬＴＥ  ＰＬＭＮとの前記ＣＤＲＸの間に、前記ＵＥにより前記マニュアルＢＰＬＭＮサーチを行うためのコードと、
前記ＣＤＲＸの期間が前記最小限の時間よりも長いかまたは等しいかどうかを判定するための前記コードが、前記ＣＤＲＸの期間が、前記ＢＰＬＭＮサーチを行うのに必要な前記最小限の時間よりも短いと判定したとき、次のアイドルモードＤＲＸサイクルまで前記ＢＰＬＭＮサーチを一時停止するためのコードと
を備える、コンピュータ可読記憶媒体。
【請求項１４】
前記ＵＥが前記３ＧＰＰＬＴＥ  ＰＬＭＮとの前記ＣＤＲＸであるか前記アイドルモードＤＲＸであるかどうかを判定するための前記コードが、前記ＵＥが前記ＣＤＲＸであると判定したとき、前記ＵＥが前記マニュアルＢＰＬＭＮサーチ用に設定されているかオートマチックＢＰＬＭＮサーチ用に設定されているかを判定するためのコードをさらに含む、請求項１３に記載のコンピュータ可読記憶媒体。
【請求項１５】
前記オートマチックＢＰＬＭＮサーチ用に設定されているとき、前記ＵＥが前記３ＧＰＰＬＴＥ  ＰＬＭＮとの前記ＣＤＲＸであるか前記アイドルモードＤＲＸであるかどうかを判定するための前記コードが、前記ＵＥが前記ＣＤＲＸであると判定し、前記ＵＥが前記マニュアルＢＰＬＭＮサーチ用に設定されているか前記オートマチックＢＰＬＭＮサーチ用に設定されているかどうかを判定するための前記コードが、前記ＵＥが前記オートマチックＢＰＬＭＮサーチ用に設定されていると判定したとき、少なくとも１つのコンピュータに前記次のアイドルモードＤＲＸサイクルまで前記ＢＰＬＭＮサーチを一時停止させるためのコードをさらに含む、請求項１４に記載のコンピュータ可読記憶媒体。
【請求項１６】
前記ＣＤＲＸの期間が前記最小限の時間よりも長いかまたは等しいかどうかを判定するためのコードは、前記ＣＤＲＸが６４０ミリ秒よりも長いかまたは等しいかどうかを判定する、請求項１３に記載のコンピュータ可読記憶媒体。
【発明の詳細な説明】
【技術分野】
【０００１】
[0001]本開示の態様は、一般に無線通信システムに関し、より具体的には、接続モード不連続受信（connected mode discontinuous reception: ＣＤＲＸ）  の間により望ましいＰＬＭＮサーチを行うための方法および装置に関する。
【背景技術】
【０００２】
[0002]パブリックランドモバイルネットワーク（ＰＬＭＮ）は、モバイル通信サービスを提供する無線アクセスネットワーク（ＲＡＮ）の一つである。ＰＬＭＮは、一般的に、利用可能なシステムリソース（例えば、帯域幅および送信電力）を共用することによって、複数のユーザとの通信をサポートすることが可能な多重アクセスシステムである。複数のＰＬＭＮは、同一の地理的領域において異なるオペレータにより動作されうる。これらのＰＬＭＮは、異なる無線アクセス技術（ＲＡＴ）および通信標準、たとえば、符号分割多重アクセス（ＣＤＭＡ）、時分割多重アクセス（ＴＤＭＡ）、周波数分割多重アクセス（ＦＤＭＡ）、３ＧＰＰロングタームエボリューション（ＬＴＥ）、グローバルシステムフォーモバイルコミュニケーションズ（ＧＳＭ（登録商標））、ユニバーサルテレストリアルラジオアクセス（ＵＴＲＡ）などを用いることがありうる。
【０００３】
[0003]多くの場合重複するサービスエリアを持つ多種多様のＰＬＭＮに起因して、複数のＲＡＴをサポートすることができる多重モードのユーザ装置（ＵＥ）の需要が大いに高まってきている。これらの多重モードＵＥは、複数のＲＡＴとの通信のため一つまたは複数の無線機を持ちうる。動作の間、多重モードＵＥは、一般的に、利用可能なＰＬＭＮをサーチし、それらの一つに登録する。そして、ＵＥは、サービングＰＬＭＮとして同一のまたは異なるＲＡＴを使用しうる、より望ましいＰＬＭＮ（ＢＰＬＭＮ）を定期的にサーチしうる。もしも、より望ましいＰＬＭＮが見つかれば、ＵＥは、その新たなＰＬＭＮへハンドオーバしうる。しかしながら、ネットワークの違いが原因で、ＢＰＬＭＳサーチおよび技術間ハンドオーバを行うことは、資源を消費する処理となっている。したがって、より望ましいＰＬＭＮのサーチおよび技術間ハンドオーバ処理を改善する必要がある。
【発明の概要】
【０００４】
[0004]以下に、接続モードＤＲＸの間にＢＰＬＭＮを行うための方法、装置およびコンピュータプログラムの一つまたは複数の態様の簡略化した概要をその態様の基本的な理解を提供するために述べる。この概要は、企図されるすべての態様の広範な概観ではなく、また、すべての態様の主要または重要な要素を特定するようにも、任意またはすべての態様の範囲を定めるようにも意図されない。その唯一の目的は、後に示されるより詳細な説明への前置きとして、簡略化された形式で１つまたは複数の態様のいくつかの概念を示すことである。
【０００５】
[0005]一つの態様において、接続モード不連続受信（ＣＤＲＸ）の間にユーザ装置（ＵＥ）によりＢＰＬＭＮサーチを行うための方法の一例は、ＣＤＲＸの間に、ＵＥにより、ＢＰＬＭＮサーチを開始するためのトリガを検出することを含む。その方法は、さらに、ＵＥがマニュアルＢＰＬＭＮサーチ用に設定されているかどうかを判定することを含む。その方法は、さらに、ＣＤＲＸの期間が、マニュアルＢＰＬＭＮサーチを行うのに必要な最小限の時間よりも長いかまたは等しいかどうかを判定することを含む。その方法は、さらに、ＣＤＲＸの期間が、ＰＬＭＮサーチを行うのに必要な最小限の時間よりも長いかまたは等しいと判定されたとき、ＣＤＲＸの間に、マニュアルＢＰＬＭＮサーチを行うことを含む。 
[0006]別の態様において、接続モード不連続受信（ＣＤＲＸ）の間にＵＥによりＢＰＬＭＮサーチを行うための装置は、ＣＤＲＸの間に、ＵＥによりＢＰＬＭＮサーチを開始するためのトリガを検出するよう設定されたＢＰＬＭＮサーチトリガ検出器を含む。その装置は、さらに、ＵＥがマニュアルＢＰＬＭＮサーチ用に設定されているかどうかを判定するよう設定されたサーチモード判定器を含む。その装置は、さらに、ＣＤＲＸの期間が、マニュアルＢＰＬＭＮサーチを行うのに必要な最小限の時間よりも長いかまたは等しいかどうかを判定するよう設定されたＣＤＲＸモード期間およびサーチ期間比較器を含む。その装置は、さらに、ＣＤＲＸの期間が、ＢＰＬＭＮサーチを行うのに必要な最小限の時間よりも長いかまたは等しいと判断されたとき、ＣＤＲＸの間に、ＵＥによりマニュアルＢＰＬＭＮサーチを行うよう設定されたＢＰＬＭＮサーチャを含む。 
[0007]別の態様において、接続モード不連続受信（ＣＤＲＸ）の間にＢＰＬＭＮサーチを行うための装置は、ＣＤＲＸの間に、ＵＥによりＢＰＬＭＮサーチを開始するためのトリガを検出するための手段を含む。その装置は、さらに、ＵＥがマニュアルＢＰＬＭＮサーチ用に設定されているかどうかを判定する手段を含む。その装置は、さらに、ＣＤＲＸの期間が、マニュアルＢＰＬＭＮサーチを行うのに必要な最小限の時間よりも長いかまたは等しいかどうかを判定する手段を含む。その装置は、さらに、ＣＤＲＸの期間が、ＢＰＬＭＮサーチを行うのに必要な最小限の時間よりも長いかまたは等しいと判定されたとき、ＣＤＲＸの間に、マニュアルＢＰＬＭＮサーチを行うための手段を含む。 
[0008]別の態様において、接続モード不連続受信（ＣＤＲＸ）の間にＵＥによりＢＰＬＭＮサーチを行うためのコンピュータプログラム製品は、少なくとも一つのコンピュータに、ＣＤＲＸの間に、ＵＥによりＢＰＬＭＮサーチを開始するためのトリガを検出させるためのコードを含むコンピュータ可読媒体を含む。その製品は、さらに、ＵＥがマニュアルＢＰＬＭＮサーチ用に設定されているかどうかを少なくとも一つのコンピュータに判定させるためのコードを含む。その製品は、さらに、ＣＤＲＸの期間が、マニュアルＢＰＬＭＮサーチを行うのに必要な最小限の時間よりも長いかまたは等しいかどうかを少なくとも一つのコンピュータに判定させるためのコードを含む。その製品は、さらに、ＣＤＲＸの期間が、ＢＰＬＭＮサーチを行うのに必要な最小限の時間よりも長いかまたは等しいと判定されたとき、少なくとも一つのコンピュータに、ＣＤＲＸの間に、マニュアルＢＰＬＭＮサーチを行わせるためのコードを含む。 
[0009]前述した目的および関連する目的を達成するために、前記１つまたは複数の態様は、以下に十分に説明され、かつ特許請求の範囲において具体的に示される特徴を備える。以下の説明および添付図面は、１つまたは複数の態様のある特定の例示的な特徴を詳細に記載する。しかしながら、これらの特徴は、様々な態様の原理が用いられうる様々な方法のうちのほんの少数を示し、本説明は、すべてのこのような態様およびそれらの同等物を含むように意図される。
【０００６】
[0010]これら開示される態様は、開示される態様を限定するためでなく、例示するために提供される添付図面と併せて以下に説明され、ここで、同様の表記は同様の要素を示す。
【図面の簡単な説明】
【０００７】
【図１】ここに記載した様々なシステムおよび方法と合わせて使用することができる無線通信システムの一例のブロック図である。
【図２】ＢＰＬＭＮサーチコントローラの態様の一例のブロック図である。
【図３】ＢＰＬＭＮサーチを行うための方法の一例のフローチャートである。
【図４】ＢＰＬＭＮサーチを行うための電気システムの一例のブロック図である。
【図５】ＢＰＬＭＮサーチを行うための処理システムを使用した装置のハードウェア実装の一例のブロック図である。
【図６】ここに記載した様々なシステムおよび方法と合わせて使用することができる多重アクセス無線通信システムのブロック図である。
【図７】ここに記載した様々なシステムおよび方法と合わせて使用することができる通信システムのブロック図である。
【発明を実施するための形態】
【０００８】
詳細な説明
[0018]様々な態様が、ここで図面を参照して説明される。以下の記述において、説明を目的として、１つまたは複数の態様の全体的な理解を提供するために多くの具体的な詳細が示される。しかしながら、このような（複数を含む）態様は、これら具体的な詳細なしで実現されうることが明らかでありうる。
【０００９】
[0019]図１は、音声、データおよび他の通信サービスを一つまたは複数のＵＥに提供すると共に、インターネットのようなコアパケットデータネットワーク１２０または公衆交換電話網のようなコア回路交換ネットワーク（図示せず）にアクセスする、ＰＬＭＮ１１０Ａおよび１００Ｂのような異なる複数のパブリックランドモバイルネットワーク（ＰＬＭＮ）を含む無線通信システム１００の一態様を例示する。ＵＥ１０５は、携帯電話、コードレス電話、セッション初期化プロトコル（ＳＩＰ）電話、携帯情報端末（ＰＤＡ）、無線接続機能を持つ携帯用デバイス、ラップトップコンピュータ、もしくはセルラまたは無線モデムを持つ他の携帯用処理デバイスを含みうるがこれらに限定されない。ＵＥ１０５は、また、加入者ユニット、加入者局、移動局、モバイル、リモート局、リモート端末、アクセス端末、ユーザ端末、端末、通信デバイス、ユーザエージェント、ユーザデバイス、モバイルデバイスなどのように呼ばれることもある。  
[0020]一つの態様において、ＰＬＭＮ１１０Ａおよび１１０Ｂは、同一のまたは異なるＲＡＴを用いることがあり得、これはＣＤＭＡ、ＴＤＭＡ、ＦＤＭＡ、ＯＦＤＭＡ、ＳＣ−ＦＤＭＡおよび他の既知のまたは将来の技術を含みうるがこれらに限定されない。たとえば、ＣＤＭＡ技術は、ユニバーサルテレストリアルラジオアクセス（ＵＴＲＡ）、ＣＤＭＡ２０００および他のネットワークで実現されている。ＵＴＲＡは、広帯域ＣＤＭＡ（Ｗ‐ＣＤＭＡ）およびＣＤＭＡの他の変形を含む。ＣＤＭＡ２０００は、１ｘＲＴＴ、ハイレートパケットデータ（ＨＲＰＤ）および次世代ＨＲＰＤ（eＨＲＰＤ）技術を含む。ＴＤＭＡ技術は、グローバルシステムフォーモバイルコミュニケーションズ（ＧＳＭ）で実現されている。ＯＦＤＭＡ技術は、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、フラッシュ−ＯＦＤＭなどで実現されている。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳのリリースであり、これは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥおよびＧＳＭは、「第３世代パートナシッププロジェクト」（３ＧＰＰ）と名付けられた機関からの文書に説明されている。さらに、ＣＤＭＡ２０００およびＵＭＢは、「第３世代パートナシッププロジェクト２」（３ＧＰＰ２）と名付けられた機関からの文書に説明されている。さらに、無線アクセスネットワークは、不対アンライセンススペクトル（unpaired unlicensed spectrums）、８０２．ｘｘ無線ＬＡＮ、ＢＬＵＥＴＯＯＴＨ（登録商標）および任意の他の短距離または長距離無線通信技法を多くの場合使用するピアツーピア（たとえば、モバイルツーモバイル）アドホックネットワークシステムをさらに含み得る。
【００１０】
[0021]一般に、ＰＬＭＮ１１０Ａのサービスエリア内にある間、モバイルＵＥ１０５は、ＰＬＭＮ１１０Ａに登録し、そこからの通信サービスを受信しうる。しかし、ＵＥ１０５がサービングＰＬＭＮ１１０Ａのサービスエリアから出て、ＰＬＭＮ１１０Ｂのサービスエリア内に移動すると、ＵＥ１０５は、ＰＬＭＮ１１０Ｂにハンドオーバしうる。そのためには、ＰＬＭＮ１１０Ａに接続している間、ＵＥ１０５は、たとえば、他のＰＬＭＮ（たとえばＰＬＭＮ１１０Ｂ）のパイロットチャンネル（ＰＣＨ）をモニタするよう調整し、そしてＵＥ１０５が現在登録しているサービングＰＬＭＮ１１０Ａの信号強度と受信したパイロット信号のパワーレベルとを比較することにより、より望ましいＰＬＭＮを定期的にサーチしうる。一般に、もしＰＬＭＮ１１０Ｂのパイロット信号強度が、サービングＰＬＭＮ１１０Ａの信号強度を超え始めたら、ＵＥ１０５はＰＬＭＮ１１０Ｂにハンドオーバしうる。一般に、ＵＥ１０５は、同一のまたは異なるＲＡＴのより望ましいＰＬＭＮをサーチしうる。
【００１１】
[0022]異なるＲＡＴは、より望ましいＰＬＭＮサーチのために異なるメカニズムを提供する。たとえば、３ＧＰＰＬＴＥシステムは、より望ましいＰＬＭＮ選択のために二つのモードを提供する。（i）オートマチックモードにおいて、ＵＥは、優先順位をつけたＰＬＭＮのリストを利用して、ハンドオーバのための優先順位が最も高いＰＬＭＮを選択する。オートマチックＢＰＬＭＮサーチは、通常は、ＵＥが限定されたサービスまたはローミングＰＬＭＮにあるとき行われうる。（ii）マニュアルモードにおいて、ＵＥは、どのＰＬＭＮが利用可能かをユーザに示し、ユーザがより望ましいＰＬＭＮを手動で選択することを可能にする。一般に、ＢＰＬＭＮサーチに割り当てられる時間（通例ガードタイマーと称する）は、１５０秒である。ＬＴＥ無線リソースコントロール（ＲＲＣ）プロトコルは、ＢＰＬＭＮサーチの起動を制御するために用いられうる。(3GPP TS 23.122 V8.2.0を参照)。  
[0023]３ＧＰＰＬＴＥシステムを含む多くの種類のＰＬＭＮは、ダウンリンク（ＤＬ）チャンネルの動作の不連続受信（ＤＲＸ）モードをサポートする。ＤＲＸモードで動作しているＵＥは、接続モード（またはＯＮ状態）と通常称される所定の期間の間、フィジカルダウンリンクコントロールチャンネル（ＰＤＣＣＨ）において基地局（たとえばノードＢ）からの送信を受信するよう設定され、ＰＤＣＣＨチャンネルのダウンリンク送信が予定されていない、アイドルモード（またはＯＦＦ状態）と通常称される所定の非活動期間の間、ＵＥのバッテリパワーを節約するために受信機をオフにするよう設定されている。ＵＥは、事前設定されたタイマーの時間切れに基づき暗黙的に、または、たとえば、サービングＰＬＭＮからのＲＲＣプロトコルＤＲＸコマンドの受信に基づき明示的に、二つのＤＲＸモードの間を移行することができる。  
[0024]一般に、ＵＥによるより望ましいＰＬＭＮのサーチは、ＵＥがサービングＰＬＭＮからのいかなる送信をも逃さないようなやり方で行われる。したがって、ＢＰＬＭＮサーチのタイミングは、ＤＲＸモードに本質的にリンクし、ＲＲＣＤＲＸプロトコルコマンド（トリガ）により直接コントロールされうる。たとえば、ＵＥは、一般に、ＲＲＣがアイドルモードＤＲＸで動いた時のみ、ＢＰＬＭＮサーチを開始する。マニュアルＰＬＭＮサーチは、通常は、ＲＲＣが接続モードＤＲＣに移るとすぐに一時停止され、ガードタイマーが切れていなければ、ＲＲＣがアイドルモードＤＲＸに戻るとすぐに再開される。しかし、ＵＥは、多くの場合、eメールクライアントのような、バックグラウンドで動作している少なくとも一つのアプリケーションを有していることがあり、このことは、ＵＥを接続モードＤＲＸに維持し、またこのことは、マニュアルＢＰＬＭＮサーチの完了を難しくしている。  
[0025]一つの態様において、この問題を解消するため、ＵＥ１０５は、接続モードＤＲＸ（ＣＤＲＸ）において、マニュアルＰＬＭＮサーチを実行／完了するよう設定されうる。たとえば、ＵＥ１０５は、ＢＰＬＭＮサーチを開始するためのＲＲＣトリガを検出しうる。ＵＥ１０５は、それから、ＤＲＸ接続モードで動作しているかまたはアイドルモードで動作しているかを判定しうる。もし、ＵＥ１０５がアイドルモードである場合、ＵＥ１０５は、マニュアルＢＰＬＭＮサーチを行いうる。もし、ＵＥ１０５が、すべてのＢＰＬＭＮサーチを一時停止しているのではなく、ＣＤＲＸである場合、ＵＥ１０５は、長期ＣＤＲＸ期間がＢＰＬＭＮサーチを行うのに必要な最小限の時間（たとえば６４０ミリ秒）より長いかまたは等しいかどうかを判定しうる。ＣＤＲＸの期間がＢＰＬＭＮサーチを行うのに必要な最小限の時間よりも長いかまたは等しいと判定すると、ＵＥ１０５は、接続モードＤＲＸの間、マニュアルＢＰＬＭＮサーチを行いうる。これらの最適化の結果、ＵＥの予定外の時間が、ユーザの要求を満たすようより効果的に利用され、何かのバックグラウンドアプリケーションがＵＥ１０５を接続モードＤＲＸに維持している場合であっても、ＵＥ１０５は、より望ましいＰＬＭＮ（たとえばＰＬＭＮ１１０Ｂ）をサーチすることができる。
【００１２】
[0026]図２は、ここに開示される態様にしたがうＢＰＬＭＮサーチを行うための、図１のＵＥ１０５において実現されうるＢＰＬＭＮサーチコントローラの態様の一例を示す。図示のように、ＢＰＬＭＮサーチコントローラ２００は、ＢＰＬＭＮサーチトリガ検出器２１０、ＤＲＸモード判定器２２０、サーチモード判定器２３０、ＣＤＲＸモード期間およびサーチ期間比較器２４０、およびＢＰＬＭＮサーチャ２５０を含む。一つの態様において、ＢＰＬＭＮサーチトリガ検出器２１０は、ＢＰＬＭＮサーチを行うためのトリガを検出するよう設定されている。ＢＰＬＭＮサーチトリガの例は、ＵＥ１０５が電源投入後に最初のＰＬＭＮ選択を行うこと、ＵＥ１０５が異なるＲＡＴを持つ新たなＰＬＭＮに移動してＰＬＭＮを提供すること、ＵＥ１０５がサービングＰＬＭＮとの接続を解放すること、ＵＥ１０５がＢＰＬＭＮサーチを行うためにＲＲＣ要求をサービングＰＬＭＮから受けることなどを含むがこれらに限定されない。ＤＲＸモード判定器２２０は、ＵＥ１０５がＤＲＸ接続モードで動作しているかまたはアイドルモードで動作しているかを判定するよう設定されている。たとえば、ＤＲＸモード判定器２２０は、ＬＴＥＲＲＣ状態パラメータをチェックして、ＵＥ１０５の現在のＤＲＸモードとこのモードの期間を判定しうる。サーチモード判定器２３０は、マニュアルＢＰＬＭＮサーチを行うかオートマチックＢＰＬＭＮサーチを行うかを判定するよう設定されている。たとえば、サーチモード判定器２３０は、ＬＴＥＲＲＣ状態パラメータをチェックして、ＵＥ１０５の特定されたＢＰＬＭＮサーチモードおよびサーチ期間を判定しうる。もし、ＵＥ１０５がアイドルモードＤＲＸである場合、サーチモード判定器２３０は、マニュアルＢＰＬＭＮサーチを行うことを選択しうる。しかしながら、もし、ＵＥ１０５が接続モードＤＲＸであると判定された場合、サーチモード判定器２３０は、ＵＥ１０５がマニュアルＢＰＬＭＮサーチを行うよう設定されているかまたはオートマチックＢＰＬＭＮサーチを行うよう設定されているかをチェックする。もしＵＥ１０５が、オートマチックＢＰＬＭＮサーチを行うよう設定されている場合、サーチモード判定器２３０は、ＣＤＲＸモードのＢＭＰＬＮサーチを一時停止しうるし、また、ＵＥ１０５が次のＤＲＸサイクルでアイドルモードに戻るとすぐにそれを再開しうる。もし、サーチモード判定器２３０が、ＵＥ１０５がマニュアルＢＰＬＭＮサーチを行うよう設定されていることを確認すると、ＣＤＲＸモード期間およびサーチ期間比較器２４０が起動されて、長期ＣＤＲＸ期間がＢＰＬＭＮサーチを行うのに必要な最小限の時間より長いかまたは等しい（たとえば６４０ミリ秒かそれ以上）かどうかを判定する。もし、ＣＤＲＸ期間が、ＰＬＭＮサーチを行うのに必要な最小限の時間より短い場合、ＢＭＰＬＮサーチがＣＤＲＸの残りの部分について一時停止されうるし、またＵＥ１０５が次のＤＲＸサイクルでアイドルモードに戻るとすぐに再開されうる。しかし、もし、ＣＤＲＸ期間が、ＰＬＭＮサーチを行うのに必要な最小限の時間より長いかまたは等しい場合、ＢＰＬＭＮサーチコントローラ２００のＢＰＬＭＮサーチャ２５０は、ＣＤＲＸの間マニュアルＢＰＬＭＮサーチを行うよう起動される。ＢＰＬＭＮサーチが完了し、より望ましいＰＬＭＮが特定されると、ＵＥ１０５は、そのより望ましいＰＬＭＮ（たとえば、ＰＬＮＭ１０５Ｂ）を再度選択またはハンドオーバする。もし、より望ましいＰＬＭＮが特定されない場合、ＵＥ１０５は、サービングＰＬＭＮに接続したままでありうる。
【００１３】
[0027]図３は、図２のＢＰＬＭＮサーチコントローラ２００を実現する図１のＵＥ１０５のようなＵＥによりＢＰＬＭＮサーチを行うための方法の一例を示す。説明の簡略化の目的で、前記方法は一連の動作として説明および示されているが、いくつかの動作は、１つまたは複数の実施形態に従って、ここに説明および示されるものとは異なる順序で、および／または、他の動作と同時に起こりうるので、前記方法は動作の順序によって限定されないことが理解および認識されるべきである。たとえば、方法は、状態図など、一連の相互に関係する状態またはイベントとして代替的に表現され得ることを諒解されたい。さらに、一つまたは複数の実施形態による方法を実施するために、図示のすべての行為が必要とされるとは限らない。
【００１４】
[0028]図３において、ステップ３０５で、方法３００は、ＵＥにより、ＢＰＬＭＮサーチを行うためのトリガを検出することを含む。たとえば、一つの態様において、ＵＥ１０５は、ＢＰＬＭＮサーチを行うためのトリガを検出するよう設定されたＢＰＬＭＮサーチトリガ検出器２１０を有するＢＰＬＭＮサーチコントローラ２００を含みうる。ステップ３１０で、方法３００は、ＵＥ１０５が接続モードＤＲＸで動作しているかまたはアイドルモードＤＲＸで動作しているかを判定することを含む。たとえば、一つの態様において、ＵＥ１０５は、ＵＥ１０５が接続モードＤＲＸで動作しているかまたはアイドルモードＤＲＸで動作しているかを判定するよう設定されているＤＲＸモード判定器２２０を含む。もし、ＵＥがアイドルモードＤＲＸである場合、方法３００は、マニュアルＢＰＬＭＮサーチを行うことを含むステップ３３０へ進む。たとえば、一つの態様において、ＵＥ１０５は、ＢＰＬＭＮサーチを行うことができるＢＰＬＭＮサーチャ２５０を含みうる。もし、ＵＥがＣＤＲＸである場合、方法３００は、マニュアルＢＰＬＭＮサーチを行うかまたはオートマチックＢＰＬＭＮサーチを行うかを判定することを含むステップ３１５へ進む。たとえば、一つの態様において、ＵＥ１０５は、ＣＤＲＸにおいて、マニュアルＢＰＬＭＮサーチを行うかまたはオートマチックＢＰＬＭＮサーチを行うかを判定するよう設定されているサーチモード判定器２３０を含む。もし、ステップ３１５で、方法３００が、ＵＥがオートマチックＢＰＬＭＮサーチを行うように設定されていると判定した場合、方法３００は、ＣＤＲＸの間、ＢＭＰＬＮサーチを一時停止することを含むステップ３２０へ続き、そして、ステップ３１０で、ＵＥ１０５が次のＤＲＸサイクルでアイドルモードに戻るとすぐにそれを再開する。たとえば、一つの態様において、ＵＥ１０５は、この機能を行うサーチモード判定器２３０を含む。もし、ステップ３１５で、方法３００が、ＵＥがマニュアルＢＰＬＭＮサーチを行うように設定されていると判定した場合、方法は、ステップ３２５へと続き、このステップは長期ＣＤＲＸ期間とＢＰＬＭＮサーチを行うのに必要な最小限の時間とを比較し、長期ＣＤＲＸがＢＰＬＭＮサーチ期間よりも長いかまたは等しいかどうかを判定することを含む。たとえば、一つの態様において、ＵＥ１０５は、この比較を行うためのＣＤＲＸモード期間サーチ期間判定器２４０を含む。もし、ステップ３２５で、方法３００が、ＣＤＲＸ期間が、ＰＬＭＮサーチを行うのに必要な最小限の時間より短いと判定した場合、方法３００は、ＢＭＰＬＮサーチをＣＤＲＸの残りの部分について一時停止し、またＵＥ１０５が次のＤＲＸサイクルでアイドルモードに戻るとすぐに再開することを含むステップ３２０へと続く。しかし、もし、ＣＤＲＸ期間が、ＰＬＭＮサーチを行うのに必要な最小限の時間より長いかまたは等しい場合、ＢＰＬＭＮサーチャ２５０は、ＣＤＲＸの間マニュアルＢＰＬＭＮサーチを行うよう起動される。  [0029]図４は、ＢＰＬＭＮサーチを行うためのシステム４００の例を示す。例えば、システム４００は、図１のＵＥ１０５のようなＵＥの内部に少なくとも部分的に存在しうる。システム４００���、プロセッサ、ソフトウェア、またはこれらの組み合わせ（たとえば、ファームウェア）によって実現される図２のＢＰＬＭＮサーチコントローラ２００の機能を表すものであることが可能な機能ブロックを含むものとして表されていることを認識されたい。システム４００は、連携して動作しうる電気コンポーネントの論理グループ４０２を含む。たとえば、論理グループ４２０は、ＢＰＬＭＮサーチトリガを検出するための電気コンポーネント４０３を含むことができる。さらに、論理グループ４０２は、ＵＥのＤＲＸモードを判定するための電気コンポーネント４０４を含むことができる。さらに、論理グループ４０２は、ＢＰＬＭＮサーチモードを判定するための電気コンポーネント４０５を含むことができる。さらに、論理グループ４０２は、ＣＤＲＸモード期間とＢＭＰＬＭＮサーチ期間とを比較するための電気コンポーネント４０６を含むことができる。さらに、論理グループ４０２は、マニュアルＢＰＬＭＮサーチを行うための電気コンポーネント４０７を含むことができる。加えて、システム４００は、電気コンポーネント４０３−４０７に関連する機能を実行するための命令を保持し、電気コンポーネント４０３−４０７などによって使用または取得されたデータを記憶する、メモリ４０８を含むことができる。メモリ４０８の外部にあるものとして示されているが、電気コンポーネント４０３−４０７のうちの１つまたは複数は、メモリ４０８の内部に存在することができることを理解されたい。一つの例では、電気コンポーネント４０３−４０７は、少なくとも１つのプロセッサを含みうるか、あるいは、各電気コンポーネント４０３−４０７は、少なくとも１つのプロセッサの対応するモジュールでありうる。さらに、追加または代替例では、電気コンポーネント４０３-４０７は、コンピュータ可読媒体を含むコンピュータプログラム製品であることができ、各電気コンポーネント４０３−４０７は、対応するコードであることができる。
【００１５】
[0030]図5は、装置５００のハードウェア実装の一例を示すブロック図で、装置５００は、図２および３を参照してここに説明されるＢＰＬＭＮサーチを行うための装置および方法を実行するよう設定されうる処理システム５１４を採用した、図１のＵＥ１０５でありうる。この例において、処理システム５１４は、バス５０２により通常表されるバスアーキテクチャで実現されうる。バス５０２は、処理システム５１４の特定アプリケーション並びに全体的な設計制約に応じて任意の数の相互接続バスおよびブリッジを含みうる。バス５０２は、一般にプロセッサ５０４により代表される一つまたは複数のプロセッサと、一般にコンピュータ可読媒体５０６により代表されるコンピュータ可読媒体と、図２のＢＰＬＭＮサーチコントローラ２００または図４のシステム４００のようなＢＰＬＭＮサーチコントローラ５０５とを含む様々な回路を結合する。バス５０２は、さらに、当技術分野において周知であって、このためさらに詳述されないタイミングソース、周辺機器、電圧レギュレータ、および電力管理回路のような様々な他の回路を結合しうる。バスインターフェース５０８は、バス５０２とトランシーバ５１０との間のインターフェースを提供する。トランシーバ５１０は、伝送媒体を通して他の様々な装置と通信するための手段を提供する。装置の性質に応じて、ユーザインターフェース５１２（例えば、キーバッド、ディスプレイ、スピーカ、マイクロフォン、ジョイスティック）も提供されうる。プロセッサ５０４は、バス５０２と、図３の方法３００を行うための命令の例を含むコンピュータ可読媒体５０６に記憶されたソフトウェアを実行することを含む一般的な処理とを管理することを担っている。このソフトウェアは、プロセッサ５０４によって実行されるときに、処理システム５１４に、以下に説明する様々な機能を任意の特定の装置に対して行わせる。また、コンピュータ可読媒体５０６は、ソフトウェアを実行するときにプロセッサ５０４によって処理される(manipulated)データを格納するためにも使用されうる。 
[0031]  図6は、多重アクセス無線通信システムの一例のブロック図である。一つの態様において、無線通信システムのコンポーネントは、図１のシステムのコンポーネントに対応する。アクセスポイント６００（ＡＰ）は複数のアンテナグループを含み、あるアンテナグループは６０４と６０６とを含み、別のアンテナグループは６０８と６１０とを含み、追加のアンテナグループ６１２と６１４とを含む。一つの態様において、ＡＰ６００は、図１のＰＬＭＮ１１０Ａのような、ＰＬＭＮに関連する。図６では、アンテナグループごとに２つのアンテナのみが示されているが、アンテナグループごとにより多いまたはより少ないアンテナが利用され得る。アクセス端末６１６（ＡＴ）はアンテナ６１２および６１４と通信しており、アンテナ６１２および６１４は、順方向リンク６２０上でアクセス端末６１６に情報を送信し、逆方向リンク６１８上でアクセス端末６１６から情報を受信する。一つの態様において、ＡＴ６１６は、図１のＵＥ１０５でありうる。アクセス端末６２２はアンテナ６０４および６０６と通信しており、アンテナ６０４および６０６は、順方向リンク６２６上でアクセス端末６２２に情報を送信し、逆方向リンク６２４上でアクセス端末６２２から情報を受信する。ＦＤＤシステムでは、通信リンク６１８、６２０、６２４および６２６は、通信のための異なる周波数を使用することができる。たとえば、順方向リンク６２０は、逆方向リンク６１８によって使用される周波数とは異なる周波数を使用することができる。
【００１６】
[0032]アンテナの各グループ、および／またはアンテナが通信するように設計されたエリアは、しばしば、アクセスポイントのセクタと称される。本実施形態では、アンテナグループはそれぞれ、ＡＰ６００によってカバーされるエリアのセクタ中でアクセス端末に通信するように設計されている。順方向リンク６２０および６２６上の通信では、ＡＰ６００の送信アンテナは、異なるＡＴ６１６および６２２に対して順方向リンクの信号対雑音比を改善するためにビームフォーミングを利用する。また、アクセスポイントが、ビームフォーミングを使用して、それのカバレージ中にランダムに分散されたアクセス端末に送信するほうが、アクセスポイントが単一のアンテナを介してすべてのそれのアクセス端末に送信するよりも、近隣セル中のアクセス端末への干渉が小さくなる。さらに、ＡＰ６００は、データセル（たとえば、ＶｏＩＰ、ＶｏＬＴＥまたは他の任意の遅延センシティブアプリケーション）において、ＡＴ６１６および６２２を受け持つことができ、上記のように、他のアクセスポイントに対するハンドオーバの間に、通信パラメータを変更する機能を提供することができる。
【００１７】
[0033]図７は、ＭＩＭＯシステム７００における、例としての送信機システム７１０（図６のＡＰ６００に対応しうるアクセスポイントとしても知られる）と受信機システム７５０（図１のＵＥ１０５または図６のＡＴ６１６に対応しうるアクセスターミナルとしても知られる）のブロック図である。送信機システム７１０において、いくつかのデータストリームのトラフィックデータがデータソース７１２から送信（ＴＸ）データプロセッサ７１４に与えられる。さらに、送信機システム７１０および／または受信機システム７５０は、それらの間の無線通信を促進するために、ここに記載した図１、図２および図４−６のシステムおよび／または図３の方法を採用することができることを諒解されたい。たとえば、ここに記載したシステムおよび／または方法のコンポーネントまたは機能は、以下で説明するメモリ７３２および／または７７２あるいはプロセッサ７３０および／または７７０の一部であることができ、ならびに／あるいは開示された機能を実行するためにプロセッサ７３０および／または７７０によって実行されることができる。
【００１８】
[0034]一つの実施形態において、各データストリームは、それぞれの送信アンテナを介して送信される。ＴＸデータプロセッサ７１４は、各データストリームのトラフィックデータをそのデータストリーム用に選択された特定のコーディング方式に基づいてフォーマットし、コーディングし、インターリーブして、コード化データを提供する。  
[0035]各データストリームのためのコード化データは、ＯＦＤＭ技法を使用してパイロットデータと多重化されうる。パイロットデータは、典型的には、既知の方法で処理され、チャネル応答を推定するために受信機システムにおいて使用されることができる既知のデータパターンである。次に、各データストリームについての多重化されたパイロットおよびコード化データは、そのデータストリームに対して選択された特定の変調スキーム（例えば、ＢＰＳＫ、ＱＰＳＫ、Ｍ−ＰＳＫ，またはＭ−ＱＡＭ）に基づいて変調（すなわち、シンボルマッピング）され、変調シンボルを提供する。各データストリームのデータレート、コーディング、および変調は、プロセッサ７３０によって実行される命令によって決定されることができる。
【００１９】
[0036]次いで、すべてのデータストリームの変調シンボルがＴＸ  ＭＩＭＯプロセッサ７２０に与えられ、ＴＸ  ＭＩＭＯプロセッサ７２０はさらに（たとえば、ＯＦＤＭ用に）その変調シンボルを処理することができる。ＴＸ  ＭＩＭＯプロセッサ７２０は、次いで、ＮＴ個の変調シンボルストリームをＮＴ個の送信機（ＴＭＴＲ）７２２ａ−７２２ｔに与える。いくつかの実施形態では、ＴＸ  ＭＩＭＯプロセッサ７２０は、データストリームのシンボルと、シンボルの送信元のアンテナとにビームフォーミング重みを適用する。
【００２０】
[0037]各送信機７２２は、それぞれのシンボルストリームを受信および処理して、１つまたは複数のアナログ信号を供給し、これらのアナログ信号をさらに調整（例えば、増幅、フィルタ処理、およびアップコンバート）して、ＭＩＭＯチャネルを介した送信に適した変調信号を供給する。送信機７２２ａ−７２２ｔからのＮＴ個の変調信号は、次いで、それぞれＮＴ個のアンテナ７２４ａ−７２４ｔから送信される。
【００２１】
[0038]受信機システム７５０では、送信された変調信号はＮＲ個のアンテナ７５２ａ−７５２ｒによって受信され、各アンテナ７５２からの受信信号は、それぞれの受信機（ＲＣＶＲ）７５４ａ−７５４ｒに与えられる。各受信機７５４は、それぞれの受信された信号を調整（例えば、フィルタ処理、増幅、およびダウンコンバート）し、調整された信号をデジタル化してサンプルを供給し、これらサンプルをさらに処理して、対応する「受信された」シンボルストリームを提供する。
【００２２】
[0039]次いで、ＲＸデータプロセッサ７６０が、ＮＲ個の受信機７５４からＮＲ個の受信シンボルストリームを受信し、特定の受信機処理技法に基づいて処理して、ＮＴ個の「検出された」シンボルストリームを提供する。次に、ＲＸデータプロセッサ７６０は、各検出されたシンボルストリームを復調、デインターリーブ、復号し、データストリームについてのトラフィックデータを復元する。ＲＸデータプロセッサ７６０による処理は、送信機システム７１０におけるＴＸ  ＭＩＭＯプロセッサ７２０およびＴＸデータプロセッサ７１４によって実行される処理に対して相補的である。  
[0040]プロセッサ７７０は、どのプリコーディング行列を使用すべきかを定期的に判定する。プロセッサ７７０は、行列インデックス部分とランク値部分とを備える逆方向リンクメッセージを作成する。  
[0041]逆方向リンクメッセージは、通信リンクおよび／または受信データストリームに関する様々なタイプの情報を備えることができる。次いで、逆方向リンクメッセージは、データソース７３６からいくつかのデータストリームのトラフィックデータをも受信するＴＸデータプロセッサ７３８によって処理され、変調器７８０によって変調され、送信機７５４ａ−７５４ｒによって調整され、送信機システム７１０に戻される。
【００２３】
[0042]送信機システム７１０において、受信機システム７５０からの変調信号は、アンテナ７２４によって受信され、受信機７２２によって調整され、復調器７４０によって復調され、ＲＸデータプロセッサ７４２によって処理されて、受信機システム７５０によって送信された逆方向リンクメッセージを抽出する。次いで、プロセッサ７３０は、ビームフォーミング重みを判定するためにどのプリコーディング行列を使用すべきかを判定し、次いで、抽出されたメッセージを処理する。
【００２４】
[0043]プロセッサ７３０および７７０は、それぞれ送信機システム７１０および受信機システム７５０における動作を指示（たとえば、制御、調整、管理など）することができる。それぞれのプロセッサ７３０および７７０は、プログラムコードおよびデータを記憶するメモリ７３２および７７２に関連付けられることができる。たとえば、プロセッサ７３０および７７０は、ＵＥから対象の基地局へのハンドオーバに基づいて、データセルにおけるＵＥのパラメータを変更することに関して、ここに記載した機能を実行することができる。同様に、メモリ７３２および７７２は、上記のようなものに関する命令を記憶することができる。
【００２５】
[0044]ここで開示した実施形態に関して説明した様々な例示的なロジック、論理ブロック、モジュール、コンポーネント、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいはここで説明した機能を実行するように設計されたそれらの任意の組合せを用いて実現または実行され得る。汎用プロセッサはマイクロプロセッサでありうるが、代替で、プロセッサは任意の従来のプロセッサ、コントローラ、マイクロコントローラ、またはステートマシンでありうる。プロセッサは、また、例えば、ＤＳＰと、１つのマイクロプロセッサ、複数のマイクロプロセッサ、ＤＳＰコアに結合した１つ以上のマイクロプロセッサ、その他の上記構成の組み合わせといった計算デバイスの組み合わせとしても実現されうる。さらに、少なくとも１つのプロセッサは、上述されたステップおよび／または動作の１つまたは複数を実行するように動作可能な１つまたは複数のモジュールを含みうる。例示的な記憶媒体は、プロセッサが記憶媒体から情報を読み取り、記憶媒体に情報を書き込むことができるようにプロセッサに結合され得る。代替において、記憶媒体はプロセッサに一体化されうる。さらに、いくつかの態様では、プロセッサおよび記憶媒体は、ＡＳＩＣ内に存在しうる。さらに、ＡＳＩＣは、ユーザ端末内に存在しうる。代替において、プロセッサおよび記憶媒体は、ユーザ端末内に個別のコンポーネントとして存在しうる。
【００２６】
[0045]１つまたは複数の態様では、説明した機能、方法またはアルゴリズムは、ハードウェア、ソフトウェア、ファームウェア、またはそれらの任意の組合せで実現され得る。ソフトウェアで実現する場合、機能は、コンピュータプログラム製品に組み込まれ得るコンピュータ可読媒体上で、１つまたは複数の命令またはコードとして、記憶または送信され得る。コンピュータ可読媒体は、１つの場所から別の場所へのコンピュータプログラムの転送を容易にする任意の媒体を含む通信媒体およびコンピュータ記憶媒体の両方を含む。記憶媒体は、コンピュータによってアクセスされうる任意の利用可能な媒体でありうる。限定ではなく例として、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置またはその他の磁気記憶デバイス、あるいは、データ構造または命令の形式で所望のプログラムコードを記憶または伝送するために使用することができ、かつコンピュータによってアクセスされうるその他任意の媒体を含むことができる。また、実質的にいかなる接続もコンピュータ可読媒体と呼ばれ得る。例えば、ソフトウェアが、同軸ケーブル、光ファイバーケーブル、ツイストペア、デジタル加入者回線（ＤＳＬ）、または赤外線、無線、およびマイクロ波のような無線技術を使用して、ウェブサイト、サーバ、または他のリモートソースから送信される場合、この同軸ケーブル、光ファイバーケーブル、ツイストペア、ＤＳＬ、または赤外線、無線、およびマイクロ波のような無線技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組み合わせもまた、コンピュータ可読媒体の範囲内に含まれるべきである。
【００２７】
[0046]本願で使用される場合、「コンポーネント」、「モジュール」、「システム」などの用語は、ハードウェア、ファームウェア、ハードウェアとソフトウェアの組み合わせ、ソフトウェア、または実行中のソフトウェアのような、コンピュータ関連エンティティを含むように意図されるがこれらに限定されるものではない。例えば、コンポーネントは、プロセッサで実行中のプロセス、プロセッサ、オブジェクト、プログラムとして実行可能なファイル（executable）、実行スレッド、プログラム、および／またはコンピュータでありうるが、これらに限定されるものではない。例として、コンピューティングデバイスで実行中のアプリケーションとコンピューティングデバイスの両方が、コンポーネントでありうる。一つまたは複数のコンポーネントがプロセスおよび／または実行スレッド内に常駐することができ、一つのコンポーネントを一つのコンピュータ上に配置し、および／または二つ以上のコンピュータ間に分散することができる。加えて、これらのコンポーネントは、その上に記憶された様々なデータ構造を有する様々なコンピュータ可読媒体から実行されることができる。これらコンポーネントは、信号によって、他のシステムを備えたインターネットのようなネットワークを介して別のコンポーネントと対話する一つのコンポーネントからのデータ、および／または、ローカルシステムや分散システム内の別のコンポーネントと対話する１つのコンポーネントからのデータのような、一つまたは複数のデータパケットを有する信号に従って、ローカル処理および／またはリモート処理によって通信することができる。
【００２８】
[0047]さらに、「または（“or”）」という用語は、排他的な「または」ではなく、包括的な「または」を意味するように意図される。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。 さらに、本願および添付の特許請求の範囲で使用される冠詞「a」および「an」は、別段の規定がない限り、または単数形を示すことが文脈から明白でない限り、概して「一つまたは複数」を意味するものと解釈されるべきである。
【００２９】
[0048]上記の開示は、例示的な態様および／または実施形態について論じたが、添付の特許請求の範囲によって定義された説明した態様および／または実施形態の範囲から逸脱することなく、様々な変更および改変を本明細書で行うことができることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
以下に、本願出願の当初の特許請求の範囲に記載された発明を付記する。
［Ｃ１］
より望ましいパブリックランドモバイルネットワーク（ＢＰＬＭＮ）サーチをユーザ装置（ＵＥ）により行うための方法であって、
接続モード不連続受信（ＣＤＲＸ）の間に、前記ＵＥによりＢＰＬＭＮサーチを開始するためのトリガを検出することと、
前記ＵＥがマニュアルＢＰＬＭＮサーチ用に設定されているかどうかを判定することと、
前記ＣＤＲＸの期間が、前記マニュアルＢＰＬＭＮサーチを行うのに必要な最小限の時間よりも長いかまたは等しいかどうかを判定することと、
前記ＣＤＲＸの期間が、前記ＢＰＬＭＮサーチを行うのに必要な最小限の時間よりも長いかまたは等しいと判定されたとき、前記ＣＤＲＸの間に、前記ＵＥにより前記マニュアルＢＰＬＭＮサーチを行うことと
を備える方法。 
［Ｃ２］
前記ＵＥによりＢＰＬＭＮサーチを開始するためのトリガを検出することは、前記ＵＥが接続モードＤＲＸであるかアイドルモードＤＲＸであるかを判定することを含む、Ｃ１に記載の方法。
［Ｃ３］
前記ＵＥが前記アイドルモードＤＲＸであるとき、前記ＵＥによりマニュアルＢＰＬＭＮサーチを行う、Ｃ２に記載の方法。
［Ｃ４］
前記ＵＥが前記接続モードＤＲＸであるとき、前記ＵＥがマニュアルＢＰＬＭＮサーチ用に設定されているかオートマチックＢＰＬＭＮ用に設定されているかを判定する、Ｃ２に記載の方法。
［Ｃ５］
前記ＵＥが前記接続モードＤＲＸであり、オートマチックＢＰＬＭＮサーチ用に設定されているとき、次のアイドルモードＤＲＸサイクルまで前記ＢＰＬＭＮサーチを一時停止する、Ｃ４に記載の方法。
［Ｃ６］
前記ＣＤＲＸの期間が、前記ＢＰＬＭＮサーチを行うのに必要な最小限の時間よりも短いとき、次のアイドルモードＤＲＸサイクルまで前記ＢＰＬＭＮサーチを一時停止する、Ｃ１に記載の方法。
［Ｃ７］
前記ＣＤＲＸの期間が、前記ＢＰＬＭＮサーチを行うのに必要な最小限の時間よりも長いかまたは等しいかどうかを判定することは、前記ＣＤＲＸが６４０ミリ秒よりも長いかまたは等しいかどうかを判定することを備える、Ｃ１に記載の方法。
［Ｃ８］
より望ましいパブリックランドモバイルネットワーク（ＢＰＬＭＮ）サーチをユーザ装置（ＵＥ）により行うための装置であって、
接続モード不連続受信（ＣＤＲＸ）の間に、前記ＵＥによりＢＰＬＭＮサーチを開始するためのトリガを検出するよう設定されたＢＰＬＭＮサーチトリガ検出器と、
前記ＵＥがマニュアルＢＰＬＭＮサーチ用に設定されているかどうかを判定するよう設定されたサーチモード判定器と、
前記ＣＤＲＸの期間が、前記マニュアルＢＰＬＭＮサーチを行うのに必要な最小限の時間よりも長いかまたは等しいかどうかを判定するよう設定されたＣＤＲＸモード期間およびサーチ期間比較器と、
前記ＣＤＲＸの期間が、前記ＢＰＬＭＮサーチを行うのに必要な最小限の時間よりも長いかまたは等しいと判定されたとき、前記ＣＤＲＸの間に、前記ＵＥにより前記マニュアルＢＰＬＭＮサーチを行うよう設定されたＢＰＬＭＮサーチャと
を備える装置。 
［Ｃ９］
前記ＢＰＬＭＮサーチトリガ検出器が、ＢＰＬＭＮサーチを開始するためのトリガを検出したとき、前記ＵＥが接続モードＤＲＸであるかアイドルモードＤＲＸであるかを判定するよう設定されたＤＲＸモード判定器をさらに備える、Ｃ８に記載の装置。
［Ｃ１０］
前記ＵＥが前記アイドルモードＤＲＸであるとき、前記ＢＰＬＭＮサーチャは、マニュアルＢＰＬＭＮサーチを行うよう設定されている、Ｃ９に記載の装置。
［Ｃ１１］
前記ＵＥが前記接続モードＤＲＸであるとき、前記サーチモード判定器は、前記ＵＥがマニュアルＢＰＬＭＮサーチ用に設定されているかオートマチックＢＰＬＭＮ用に設定されているかを判定するようさらに設定されている、Ｃ９に記載の装置。
［Ｃ１２］
前記ＵＥが前記接続モードＤＲＸであり、オートマチックＢＰＬＭＮサーチ用に設定されているとき、前記ＢＰＬＭＮサーチャは、次のアイドルモードＤＲＸサイクルまで前記ＢＰＬＭＮサーチを一時停止するよう設定されている、Ｃ１１に記載の装置。
［Ｃ１３］
前記ＣＤＲＸの期間が、前記ＢＰＬＭＮサーチを行うのに必要な最小限の時間よりも短いとき、前記ＢＰＬＭＮサーチャは、次のアイドルモードＤＲＸサイクルまで前記ＢＰＬＭＮサーチを一時停止するよう設定されている、Ｃ８に記載の装置。
［Ｃ１４］
前記ＣＤＲＸの期間が、前記ＢＰＬＭＮサーチを行うのに必要な最小限の時間よりも長いかまたは等しいかどうかを判定するために、前記ＣＤＲＸモード期間およびサーチ期間比較器は、ＣＤＲＸが６４０ミリ秒よりも長いかまたは等しいかどうかを判定するようさらに設定されている、Ｃ８に記載の装置。
［Ｃ１５］
より望ましいパブリックランドモバイルネットワーク（ＢＰＬＭＮ）サーチをユーザ装置（ＵＥ）により行うための装置であって、
接続モード不連続受信（ＣＤＲＸ）の間に、前記ＵＥによりＢＰＬＭＮサーチを開始するためのトリガを検出するための手段と、
前記ＵＥがマニュアルＢＰＬＭＮサーチ用に設定されているかどうかを判定するための手段と、
前記ＣＤＲＸの期間が、前記マニュアルＢＰＬＭＮサーチを行うのに必要な最小限の時間よりも長いかまたは等しいかどうかを判定するための手段と、
前記ＣＤＲＸの期間が、前記ＢＰＬＭＮサーチを行うのに必要な最小限の時間よりも長いかまたは等しいと判定されたとき、前記ＣＤＲＸの間に、前記ＵＥにより前記マニュアルＢＰＬＭＮサーチを行うための手段と
を備える装置 。
［Ｃ１６］
前記ＵＥによりＢＰＬＭＮサーチを開始するためのトリガを検出するための手段は、前記ＵＥが接続モードＤＲＸであるかアイドルモードＤＲＸであるかを判定するための手段を含む、Ｃ１５に記載の装置。
［Ｃ１７］
前記ＵＥが前記アイドルモードＤＲＸであるとき、前記ＵＥによりマニュアルＢＰＬＭＮサーチを行うための手段をさらに含む、Ｃ１６に記載の装置。
［Ｃ１８］
前記ＵＥが前記接続モードＤＲＸであるとき、前記ＵＥがマニュアルＢＰＬＭＮサーチ用に設定されているかオートマチックＢＰＬＭＮ用に設定されているかを判定するための手段をさらに含む、Ｃ１６に記載の装置。
［Ｃ１９］
前記ＵＥが前記接続モードＤＲＸであり、オートマチックＢＰＬＭＮサーチ用に設定されているとき、次のアイドルモードＤＲＸサイクルまで前記ＢＰＬＭＮサーチを一時停止するための手段をさらに含む、Ｃ１８に記載の装置。
［Ｃ２０］
前記ＣＤＲＸの期間が、前記ＢＰＬＭＮサーチを行うのに必要な最小限の時間よりも短いとき、次のアイドルモードＤＲＸサイクルまで前記ＢＰＬＭＮサーチを一時停止するための手段をさらに含む、Ｃ１５に記載の装置。
［Ｃ２１］
前記ＣＤＲＸの期間が、前記ＰＬＭＮサーチを行うのに必要な最小限の時間よりも長いかまたは等しいかどうかを判定するための手段は、前記ＣＤＲＸが６４０ミリ秒よりも長いかまたは等しいかどうかを判定するための手段をさらに含む、Ｃ１５に記載の装置。
［Ｃ２２］
より望ましいパブリックランドモバイルネットワーク（ＢＰＬＭＮ）サーチをユーザ装置（ＵＥ）により行うためのコンピュータプログラム製品であって、
少なくとも一つのコンピュータに
接続モード不連続受信（ＣＤＲＸ）の間に、前記ＵＥによりＢＰＬＭＮサーチを開始するためのトリガを検出させるためのコードと、
前記ＵＥがマニュアルＢＰＬＭＮサーチ用に設定されているかどうかを判定させるためのコードと、
前記ＣＤＲＸの期間が、前記マニュアルＢＰＬＭＮサーチを行うのに必要な最小限の時間よりも長いかまたは等しいかどうかを判定させるためのコードと、
前記ＣＤＲＸの期間が、前記ＢＰＬＭＮサーチを行うのに必要な最小限の時間よりも長いかまたは等しいと判定されたとき、前記ＣＤＲＸの間に、前記ＵＥにより前記マニュアルＢＰＬＭＮサーチを行わせるためのコードと  
を備えるコンピュータ可読媒体を備えるコンピュータプログラム製品。  ［Ｃ２３］
少なくとも一つのコンピュータに、前記ＵＥによりＢＰＬＭＮサーチを開始するためのトリガを検出させるためのコードは、少なくとも一つのコンピュータに、前記ＵＥが接続モードＤＲＸであるかアイドルモードＤＲＸであるかを判定させるためのコードを含む、Ｃ２２に記載のコンピュータプログラム製品。
［Ｃ２４］
前記ＵＥが前記アイドルモードＤＲＸであるとき、少なくとも一つのコンピュータに、前記ＵＥによりマニュアルＢＰＬＭＮサーチを行わせるためのコードをさらに含む、Ｃ２３に記載のコンピュータプログラム製品。
［Ｃ２５］
前記ＵＥが前記接続モードＤＲＸであるとき、少なくとも一つのコンピュータに、前記ＵＥがマニュアルＢＰＬＭＮサーチ用に設定されているかオートマチックＢＰＬＭＮ用に設定されているかを判定させるためのコードをさらに含む、Ｃ２３に記載のコンピュータプログラム製品。
［Ｃ２６］
前記ＵＥが前記接続モードＤＲＸであり、オートマチックＢＰＬＭＮサーチ用に設定されているとき、少なくとも一つのコンピュータに、次のアイドルモードＤＲＸサイクルまで前記ＢＰＬＭＮサーチを一時停止させるためのコードをさらに含む、Ｃ２５に記載のコンピュータプログラム製品。
［Ｃ２７］
前記ＣＤＲＸの期間が、前記ＢＰＬＭＮサーチを行うのに必要な最小限の時間よりも短いとき、少なくとも一つのコンピュータに、次のアイドルモードＤＲＸサイクルまで前記ＢＰＬＭＮサーチを一時停止させるためのコードをさらに含む、Ｃ２２に記載のコンピュータプログラム製品。
［Ｃ２８］
少なくとも一つのコンピュータに、前記ＣＤＲＸの期間が前記ＢＰＬＭＮサーチを行うのに必要な最小限の時間よりも長いかまたは等しいかどうかを判定させるためのコードは、少なくとも一つのコンピュータに、前記ＣＤＲＸが６４０ミリ秒よりも長いかまたは等しいかどうかを判定させるためのコードをさらに含む、Ｃ２２に記載のコンピュータプログラム製品。
【図１】
0006009715.tif 000002
【図２】
0006009715.tif 000003
【図３】
0006009715.tif 000004
【図４】
0006009715.tif 000005
【図５】
0006009715.tif 000006
【図６】
0006009715.tif 000007
【図７】
0006009715.tif 000008